(57)【要約】【課題】買物容器から小物等が落下することなく、かつ、格納の際に無駄なスペースが必要とせず格納可能なこと。【解決手段】買物容器部１０は容器取付体８０と半容器体７０及び回動体９０によって構成されている。通常の使用状態では、物品を収容する４面体からなる半容器体７０と半容器体７０の後部の開放側を閉じる回動体９０によって、上方に開口する５面体からなる容器を形成する。しかも、回動体９０を上側底面との後面とで形成することにより、半容器体７０の底面７４に上側底面７６を重ねることができ、回動体９０と半容器体７０との隙間も、極力狭いものとすることができる。特に、それらの５面体が可撓性に富む合成繊維地で形成されているから、財布の小銭、細かい物品がショッピングカートから落下することがなくなる。【選択図】図１
2012250679.tif 000002
【特許請求の範囲】
【請求項１】
左右両側に平行して対向配置され、上端に把持部を設けた１対の起立フレームと、
前記１対の起立フレームの下部で接合されて前方に略Ｕ字状に突設され、下部に３個以上のキャスタが配設された基台フレームと、
物品を収容する４面体からなる半容器体と、
前記半容器体の後方側に位置し、かつ、前記半容器体と対をなして上部に開口する容器となり、外部から前記半容器体の前方側に加わる力によって回動し、前記半容器体との間で後部に開口する解放空間を形成する回動体と、
前記基台フレームの上部に位置し、前記１対の起立フレーム間を接続すると共に前記半容器体及び前記回動体が取付けられる容器取付体と
を具備することを特徴とするショッピングカート。
【請求項２】
前記回動体は、前記１対の起立フレーム間に配設した上横架材を中心に回動し、前記半容器体の後方側を押圧すると、前記半容器体の後方側の面を上面まで回動することを特徴とする請求項１に記載のショッピングカート。
【請求項３】
前記回動体は、前記半容器体の後方側の後面及び前記半容器体の底面に重なる上側底面からなることを特徴とする請求項１または請求項２に記載のショッピングカート。
【請求項４】
前記１対の起立フレームは、弧状を呈しており、前記弧状の彎曲のピーク点は下端の後輪(キャスタ)及び上端の把持部の位置よりも前方に位置することを特徴とする請求項１乃至請求項３のいずれか１つに記載のショッピングカート。
【請求項５】
前記半容器体は、前方が浅く、後方が深いことを特徴とする請求項１乃至請求項４のいずれか１つに記載のショッピングカート。
【請求項６】
前記半容器体及び前記回動体は、可撓性に富む合成繊維地または金属板または合成樹脂板で形成したものであることを特徴とする請求項１乃至請求項５のいずれか１つに記載のショッピングカート。
【発明の詳細な説明】
【技術分野】
【０００１】
本発明は、スーパーマーケット等の店舗で買物をする際に用いられる手押しのショッピングカートに関するもので、特に、買物容器から小物の落下を防止できるショッピングカートに関するものである。
【背景技術】
【０００２】
周知のように、スーパーマーケット等の店舗で使用されているショッピングカートは、買物客が大量の商品を入れて重くなった買物籠を持ち歩かなくてもよいように、買物かごを載せて運ぶための手押し車（カート）である。
そして、この種のショッピングカートにおいては、重量の大きい商品を大量に載せた場合、また、子供用座席が設けられているものにおいて子供用座席に子供を載せた場合にも十分に耐えることができる程度の機械的強度及び剛性を有することが要求されており、ショッピングカートの骨格を構成する各種フレームには、機械的強度を考慮して金属製のものが使用されている。
【０００３】
また、機械的強度、特に、剛性を考慮したショッピングカートとして、例えば、特許文献１及び特許文献２に記載の技術を挙げることができる。この技術は、ショッピングカートの骨格を構成するフレームを上下方向に長寸の略楕円形状・偏平形状にして長径方向の断面係数を大きくすることで、ショッピングカートにおける商品、買物籠等の荷物による鉛直方向の重さに対する剛性を強化させたものである。
【先行技術文献】
【特許文献】
【０００４】
【特許文献１】特開２００６−２４８２６９号公報
【特許文献２】実用新案登録第２００００６３号公報
【発明の概要】
【発明が解決しようとする課題】
【０００５】
しかしながら、特許文献１及び特許文献２に記載のショッピングカートの機械的強度については種々検討されてきたが、例えば、買物容器についてはメタルラス網等の網材で形成されており、小銭や、小型の菓子等が網材のバスケットから落下したり、或いは液体が網材の買物容器を伝って買物客の衣類を汚す場合も予測される。そこで、買物容器をシート材で形成することも考えられるが、ショッピングカートを格納する場合に、ショッピングカートが重なり合うことができなくなるから、無駄な格納スペースが必要となる。
【０００６】
そこで、本発明は、買物容器から小物等が落下することなく、かつ、格納の際に無駄なスペースが必要とせず格納可能なショッピングカートの提供を課題とするものである。
【課題を解決するための手段】
【０００７】
請求項１の発明にかかるショッピングカートは、左右両側に平行して対向配置され、上端に把持部を設けた管材からなる１対の起立フレームと、前記１対の起立フレームの下部で接合されて前方に略Ｕ字状に突設され、下部に３個以上のキャスタが配設された管材からなる基台フレームと、物品を収容する４面体からなる半容器体と、前記容器取付体に取付けた４面体からなる前記半容器体の後方側に位置し、かつ、前記半容器体と対をなして上部に開口する容器となり、外部から前方側に加わる力によって回動し、前記半容器体との間に後部に開口する解放空間を形成する回動体と、前記基台フレームの上部に位置し、前記１対の起立フレーム間を接続すると共に、前記半容器体及び前記回動体が取付けられる容器取付体とを具備するものである。
ここで、上記１対の起立フレームは、左右両側に平行して対向配置され、上端に直接または間接的に把持部を設けた１対の立ち上がりからなるものである。この１対の立ち上がりは起立フレームの把持部側またはその反対の基台フレーム側が一体になっているといないとを問わないものである。
また、上記基台フレームは、前記１対の各起立フレームの下部で直接または間接的に接合されて前方に略Ｕ字状（略Ｖ字状）に突設され、下部に３個以上、通常３個または４個のキャスタが配設された管材からなるものである。
そして、上記容器取付体は、前記基台フレームの上部に位置し、前記１対の起立フレーム間を接続すると共に、物品を収容する前記半容器体を取付けるものである。
更に、上記半容器体は、液体等の浸透性のよくない合成繊維地等のシート材、金属板または合成樹脂板で、可撓性に富む材料または金属板または合成樹脂板からなる４面体からなる容器であり、その後方は開口している。
更にまた、上記回動体は、前記半容器体の後方側に位置し、前記半容器体と対をなし、かつ、前記半容器体と対をなして上部に開口する５面体の容器となり、外部から前記半容器体の前方側に加わる力によって回動し、前記半容器体との間で後部に開口した解放空間を形成するものである。
【０００８】
請求項２の発明にかかるショッピングカートの前記回動体は、前記１対の起立フレーム間に配設した上横架材を中心に回動し、前記半容器体の後方側を押圧し、前記半容器体の後方側の面を上面まで持ち上げるものである。
ここで、上記回動体は、上部に配設した上横架材を中心に回動し、前記半容器体の後方側を押圧し、前記半容器体の後方側の面を上面まで持ち上げ、前記半容器体との間で後部に開口する解放空間を形成するものである。
【０００９】
請求項３の発明にかかるショッピングカートの前記回動体は、前記半容器体の後方側の後面及び前記半容器体の底面に重なる上側底面からなるものである。
ここで、前記半容器体の後方側の後面及び前記半容器体の底面に重なる上側底面からなる回動体は、前記半容器体の底面に重なる上側底面は、前記半容器体の前面側に一端が接合されているのが望ましい。
【００１０】
請求項４の発明にかかるショッピングカートの前記１対の起立フレームは、弧状を呈しており、前記弧状の彎曲のピーク点は下端の後輪(キャスタ)及び上端の把持部の位置よりも前方に位置するものである。
ここで、上記１対の起立フレームは、彎曲した弧状を呈しており、前記弧状の彎曲のピーク点は前方に位置するものであり、必ずしも曲率が単一の弧状に限定されるものではない。
【００１１】
請求項５の発明にかかるショッピングカートの前記半容器体は、前方が浅く、後方が深いものである。
ここで、上記半容器体は、前方が浅く、後方が深いものであるが、均一の深さまたは前方が深く、後方が浅いものとすることもできる。しかし、意匠性の観点及び人手による扱い方からすると、前方が浅く、後方が深いものの方が、安定感があるので意匠性及び機能性からの選択である。
【００１２】
請求項６の発明にかかるショッピングカートの前記半容器体及び回動体は、可撓性に富む合成繊維地または金属板または合成樹脂板で形成したものである。
ここで、上記可撓性に富む合成繊維地または金属板または合成樹脂板は、可撓性に富む合成繊維地はカートの移動の際にも雑音が発生し難く、また、金属板または合成樹脂板の場合には、その隙間の精度を上げることができる。
【発明の効果】
【００１３】
請求項１の発明のショッピングカートによれば、通常の使用に対して、左右両側に平行して対向配置され、上端に把持部を設けた１対の起立フレームと、その両起立フレームの下部で接合されて前方に略Ｕ字状に突設され、下部に３個以上のキャスタが配設された基台フレームと、物品を収容する４面体からなる半容器体と、前記半容器体の後方側に位置し、前記半容器体と対をなして上部に開口する５面体からなる容器となり、外部から前記半容器体の前方側に加わる力によって回動し、前記半容器体との間で後部に開口する解放空間を形成する回動体と、前記基台フレームの上部に位置し、前記１対の起立フレーム間を接続すると共に前記半容器体及び前記回動体が取付けられる容器取付体を具備している。このショッピングカートを格納する場合には、前記半容器体の後方側に位置し、外部から前記半容器体の前方側に加わる他のショッピングカートにおける前記容器取付体の前方に衝突する力によって回動体が回動し、前記半容器体との間で後部に開口した解放空間を形成し、そこに他のショッピングカートの前記容器取付体及び半容器体を収容自在とするものである。
したがって、通常の使用状態では、物品を収容する４面体からなる半容器体と前記半容器体の後部の開放側を閉じる回動体によって、上方に開口する５面体からなる容器を形成する。しかも、前記回動体を上側底面との後面とで形成することにより、前記回動体と前記半容器体との隙間も、極力狭いものとすることができる。特に、それらの５面体が可撓性に富む合成繊維地、金属板または合成樹脂板で形成されるから、財布の小銭、細かい物品がショッピングカートから落下することがなくなる。
また、この種のショッピングカートを格納する際には、半容器体の後方側から前記半容器体の前方側に加わる他のショッピングカートにおける前記容器取付体の前方方向への力によって回動体が回動し、前記半容器体の形状を変形させて、他のショッピングカートの前記容器取付体及び半容器体を収容する空間を形成するから、その空間に後続のショッピングカートの前記容器取付体及び半容器体を収容することにより、ショッピングカートの格納に無駄なスペースを必要とせず、格納可能となる。
よって、買物容器から小物等が落下することなく、かつ、格納の際に無駄なスペースが必要とせず格納可能なショッピングカートとなる。
【００１４】
請求項２の発明のショッピングカートの前記回動体は、その後面が前記１対の起立フレーム間に配設した上横架材を中心に回動し、前記半容器体の後方側を押圧し、前記半容器体の後方側の後面を上面まで持ち上げるものであるから、請求項１に記載の効果に加えて、上横架材を中心に回動して前記半容器体との間で後部に解放空間を形成するものであり、外力がない場合には、上横架材を回動中心の軸として安定した位置に物品を収容する上部が開口する５面体からなる半容器体及び前記回動体の位置決めができ、使用状態と格納状態を別段の意識なく使用できる。
【００１５】
請求項３の発明のショッピングカートの前記回動体は、前記半容器体の後方側の後面及び前記半容器体の底面に重なる上側底面からなるものであり、請求項１または請求項２に記載の効果に加えて、前記回動体の可動部分と前記半容器体との間の隙間を極力少なくすることができ、小物の落下する確率を非常に少なくすることができる。
【００１６】
請求項４の発明にかかるショッピングカートの前記１対の起立フレームは、弧状を呈しており、前記弧状の彎曲のピーク点は下端の後部のキャスタ及び上端の把持部の位置よりも前方に位置するものであるから、請求項１乃至請求項３のいずれか１つに記載の効果に加えて、前記起立フレームに加わる半容器体の底面の重心位置に近い位置で前記１対の起立フレームにそれを伝えることができ、ショッピングカート自体の安定性が増す。
【００１７】
請求項５の発明にかかるショッピングカートの前記半容器体は、前方が浅く、後方が深いものであるから、請求項１乃至請求項４のいずれか１つに記載の効果に加えて、財布の小銭、購入した細かい物品が後方に集まるので、それらの財布の小銭や、細かい物品を収集する場合にも、前記半容器体の後方に集まるので扱いやすいという効果がある。
【００１８】
請求項６の発明にかかるショッピングカートの前記半容器体及び回動体は、可撓性に富む合成繊維地または金属板または合成樹脂板で形成したものであるから、請求項１乃至請求項５のいずれか１つに記載の効果に加えて、可撓性に富む合成繊維地はカートの移動の際にも雑音が発生し難く、静かな移動が可能となる。また、金属板または合成樹脂板の場合には、その隙間の精度を上げることができ、落下を防止できる最小単位の大きさが正確に設定できる。
【図面の簡単な説明】
【００１９】
【図１】図１は本発明の実施の形態にかかるショッピングカートの全体斜視図である。
【図２】図２は本発明の実施の形態にかかるショッピングカートの半容器体及び回動体を除いた全体斜視図である。
【図３】図３（ａ）は本発明の実施の形態にかかるショッピングカートの半容器体及び回動体が容器として機能する要部斜視図、図３（ｂ）はその後方からみた要部斜視図である。
【図４】図４（ａ）は本発明の実施の形態にかかるショッピングカートが複数格納される場合の要部斜視図、図４（ｂ）はその後方からみた要部斜視図である。
【図５】図５は本発明の実施の形態にかかるショッピングカートの半容器体及び回動体の要部断面図である。
【図６】図６は本発明の実施の形態にかかるショッピングカートの半容器体及び回動体の要部断面図で、２台のショッピングカートを連結して格納する場合の当接時（ａ）、連結開始時（ｂ）、連結時（ｃ）の要部断面図である。
【発明を実施するための形態】
【００２０】
以下、本発明の実施の形態について、図面を参照しながら説明する。
なお、実施の形態において、各図面の同一の記号及び同一の符号は同一または相当する機能部分を意味し、ここでは重複する詳細な説明を省略する。
また、以下の説明において、構成部材のうち左右対称に構成されているものについては、左右を表す符号として『Ｌ』、『Ｒ』を付し、その左／右の記述を省略する。なお、通常、買物客は、１対の起立フレーム２０Ｌ，２０Ｒに対して半容器体７０が突設している側とは反対側に立ち、お腹側を半容器体７０側に向け、把持部６０Ｌ，６０Ｒを把持してショッピングカート１を押すことから、それを前提に、以下の説明においては、格別に断りのない限り、前後、左右の方向を、その買物客の前後、左右の方向として説明する。
【００２１】
図１乃至図４に示すように、本実施の形態のショッピングカート１は、左右両側に平行して対向配置され、上部側に買物容器部１０が接続されている１対のアルミニウム製またはスチール製の管材からなる起立フレーム２０Ｌ，２０Ｒと、１対の起立フレーム２０Ｌ，２０Ｒの下部で接合されて前方に略Ｕ字状に突設されたアルミニウム製またはスチール製の管材からなる基台フレーム３０と、１対の起立フレーム２０Ｌ，２０Ｒ間を接続しているアルミニウム製またはスチール製の間隔形成フレームとしての上横架材４０、中横架材４１、下横架材４２を有している。
【００２２】
また、本実施の形態の起立フレーム２０Ｌ，２０Ｒの下端、基台フレーム３０の前側左右両端の下部には、前輪(キャスタ)５１Ｌ，５１Ｒが、後輪(キャスタ)５０Ｌ，５０Ｒが回転自在に取付けられており、また、本実施の形態の起立フレーム２０Ｌ，２０Ｒの上端には、使用時に把持される把持部６０Ｌ，６０Ｒが設けられている。そして、この把持部６０Ｌ，６０Ｒには、買物客が把持しやすいようにゴム製等のクッション性のある材料からなるグリップ６１Ｌ，６１Ｒを被せている。なお、本発明を実施する場合には、把持部６０Ｌ，６０Ｒを別体として、起立フレーム２０Ｌ，２０Ｒに取付けてもよい。
【００２３】
本実施の形態の買物容器部１０は、合成樹脂布等の可撓性に富む生地（シート地）で形成し、購入物品等の物品を収容する前面７１及び左右側面７２,７３及び底面７４からなる４面体からなる半容器体７０を有している。また、半容器体７０の後方側に位置し、外部から半容器体７０の前方側に加えられる力によって後面７５が上横架材４０を軸に回動し、後面７５及び上側底面７６からなり形状を変形させて、底面７４の上面で上側底面７６が大きく湾曲し、少なくとも回動した後面７５の下部に空間を形成する回動体９０を有している。そして、基台フレーム３０の上部に位置し、１対の起立フレーム２０Ｌ，２０Ｒ間を接続すると共に、買物をした物品を収容する半容器体７０及び回動体９０を取付けるアルミニウム製またはスチール製の棒材からなる容器取付体８０とを有している。即ち、本実施の形態の買物容器部１０は、半容器体７０及び回動体９０及び容器取付体８０で形成されている。
【００２４】
合成繊維布等の可撓性に富むシート地で形成してなる半容器体７０は、購入物品等を収容する前面７１及び左右側面７２,７３及び底面７４からなり、少なくとも底面７４は内部に比較的硬い合成樹脂板またはベニヤ板等の芯材板が内蔵されていて底面形状を平坦面に維持するようになっている。但し、合成樹脂板またはベニヤ板等の芯材板は底面７４の面積の８０〜９５％のサイズとなっており、合成樹脂板またはベニヤ板等の芯材板の角のみにストレスが入り難くなっている。この底面７４は後述する上側底面７６の下に位置するから、上側底面７６も同様に略平坦面となる。好ましくは、水平面またはそれに近い値の面とすることになる。また、逆に勾配をつけて、買物容器部１０の前方または後方に小物、小銭等が集まるように傾斜を設けてもよい。
【００２５】
また、物品を収容する半容器体７０及び回動体９０を取付ける容器取付体８０は、基台フレーム３０の上部に位置し、１対の起立フレーム２０Ｌ，２０Ｒ間を接続する中横架材４１と容器受台支持材８１の上に４角の桟枠状の容器受台８３、上横架材４０から前方にコ字状に突出させた開口架材８４で構成され、半容器体７０及び回動体９０の下部を受けている。即ち、半容器体７０及び回動体９０の上部は、上横架材４０から前方にコ字状に突出させた開口架材８４が配設されていて、開口架材８４に半容器体７０の前面７１及び左右側面７２,７３の上部を取付けている。また、起立フレーム２０Ｌ，２０Ｒ相互間に架設された上横架材４０に回動体９０を構成する後面７５の上部が回動自在に取付けられている。
【００２６】
回動体９０は、後面７５と上側底面７６から形成されていて、上側底面７６の端部(一辺)は、底面７４の前面７１側に一体に接着または縫合により接合されている。後面７５には、少なくとも、底面７４と同様、内部に彎曲し難い、硬い合成樹脂板またはベニヤ板等の芯板が内蔵されていて後面７５の形状を平板として維持するようになっている。但し、合成樹脂板またはベニヤ板等の芯材板は後面７５の面積の８０〜９５％のサイズとなっている。特に、横幅は１００％のサイズとするのが望ましい。この１００％のサイズとは半容器体７０の左右側面７２,７３との間に若干の隙間も生じない程度サイズを意味する。特に、半容器体７０が上に広く開いているときには、底面７４側が狭くなるので、底面７４と後面７５とは、後面７５の下部が密着状態となる。即ち、後面７５及び上側底面７６の彎曲が、その構成の一部分に大きなストレスとなって加わらないようにしている。また、後面７５は芯材板によって所定の重量を維持し、それによって定常状態で、後面７５が定位置に自重で戻るようにするのが望ましい。
【００２７】
通常状態では、上側底面７６は、その下に位置する底面７４に従って平坦となり、二重となって底面７４の全面を覆うことになる。後面７５はその容器内の角度が上側底面７６から９０〜１２０°と変化するように上横架材４０を軸にして配設されている。また、半容器体７０の左右側面７２,７３と上側底面７６及び後面７５との隙間は、機械的に干渉しない程度であれば、最小の隙間とすることができる。
【００２８】
上側底面７６と後面７５は、図５に示すように、後面７５が上横架材４０を軸に回動すると後面７５と連続形成された上側底面７６がその回動に伴って変形し、後面７５が最大に回動すると後面７５が水平または水平に対して±１５°内の角度に回動される。このとき、上側底面７６の前方端部が前面７１側に固定されたまま、上側底面７６との連続点は後面７５の回動にともない最上位置となる。即ち、半容器体７０の後方側に位置する後面７５は、外部から半容器体７０の前方方向側に加えられる力によって上横架材４０を軸に回動して半容器体７０との仕切りを変形させて、半容器体７０の底面７５の下に空間を形成する。なお、後面７５が最大に回動すると後面７５が水平または水平に対して±１５°内の角に移動されるのは、開口架材８４が前方ほど下方位置にある場合等は、水平以上の角度になる可能性がある。
【００２９】
買物容器部１０は、商品、買物籠等の荷物を載置するもので、起立フレーム２０Ｌ，２０Ｒ並びに起立フレーム２０Ｌ，２０Ｒ相互間に架設された上横架材４０及びこの上横架材４０より下の位置で起立フレーム２０Ｌ，２０Ｒ相互間に架設された中横架材４１、上横架材４０から前方にコ字状に突出させた開口架材８４が配設されている。この開口架材８４は、基台フレーム３０に端部を接続し、かつ、起立フレーム２０Ｌ，２０Ｒに２か所接続してなる傾斜架材８５Ｌ，８５Ｒの上端を溶接し、コ字状に突出させた開口架材８４を機械的に補強している。なお、傾斜架材８５Ｌ，８５Ｒの２か所で起立フレーム２０Ｌ，２０Ｒの２か所と接続しているのは、傾斜架材８５Ｌ，８５Ｒと起立フレーム２０Ｌ，２０Ｒの機械的強度を上げるのに役立っている。
【００３０】
具体的には、本実施の形態の買物容器部１０は、１対の起立フレーム２０Ｌ，２０Ｒ間を接続すると共に物品を収容する半容器体７０を保持する棒材からなる容器受台支持材８１の上に形成された４角の桟枠状の容器受台８３、基台フレーム３０及び起立フレーム２０Ｌ，２０Ｒに固着された傾斜架材８５Ｌ，８５Ｒが固着され、かつ、上横架材４０に取付けられたコ字状に突出させた開口架材８４で構成されている容器取付体８０に、合成樹脂布等の可撓性に富む布地で形成し、購入物品等の物品を収容する前面７１及び左右側面７２,７３からなる半容器体７０の上部が折り返してホック７９で固着されされている。また、半容器体７０の後方側に位置する上横架材４０を軸芯として、半容器体７０の左右側面７２,７３との隙間を大きくすることなく、後面７５を回動自在とする回動体９０を構成している。
【００３１】
即ち、本実施の形態の買物容器部１０は、これら容器取付体８０と半容器体７０及び回動体９０によって構成されている。
ここで、買物容器部１０の桟枠状の容器受台８３及び傾斜架材８５Ｌ，８５Ｒ及びコ字状に突出させた開口架材８４に保持され、そこにホック７９で固着された前面７１及び左右側面７２,７３及び底面７４からなる半容器体７０は、本実施の形態のショッピングカート１として一体となってその取付状態を維持する。
【００３２】
後面７５を回動自在とする回動体９０は、図５に示すように、後方から前方向の外力を受けると、後面７５は上横架材４０を回転軸として図５の右回り方向に回動する。これによって上側底面７６の後面７５との接続部分及び前面７１側の取付け部分が大きく彎曲し、底面７４の上面で上側底面７６及び後面７５との下に空間を形成する。この空間に後続のショッピングカート１における買物容器部１０の開口架材８４及び桟枠状の容器受台８３が挿脱できる形状及び寸法に形成されている。
【００３３】
したがって、使用状態においては、図６（ａ）に示すように、本実施の形態のショッピングカート１が停止している状態で、後続しているショッピングカート１Ａの前面７１側の開口架材８４が回動体９０の後面７５に当たると、後面７５は上横架材４０を軸芯として回動し、図６（ｂ）のように、後面７５の前方への押圧が上横架材４０を回転軸とする回転に代わり、後面７５が上部位置に移動する。
【００３４】
そして、図６（ｃ）のように、ショッピングカート１が停止している状態で、後続のショッピングカート１Ａの前面７１側の開口架材８４が回動体９０の後面７５に当たり、後面７５が上横架材４０を軸芯として回動するとき、後続のショッピングカート１Ａの桟枠状の容器受台８３が前方のショッピングカート１における底面７４の上面を移動し、前方のショッピングカート１の桟枠状の容器受台８３で支持された底面７４の上面に後続のショッピングカート１Ａの桟枠状の容器受台８３が乗って重なり合い互いの接触抵抗が大となり、２台が連結状態となり、使用する格納スペースが狭くなる。
【００３５】
本実施の形態のショッピングカート１は、半容器体７０を保持する棒材からなる容器受台支持材８１の上に形成された４角の桟枠状の容器受台８３によって、商品、買物籠等の荷物が載置される載置部分が形成されており、中横架材４１、下横架材４２によって、その周囲部分をなす枠体が形成されている。
【００３６】
そして、前面７１及び左右側面７２,７３及び底面７４からなる４面体と、後面７５及び上側底面７６によって形成される回動体９０により、一部底面７４と上側底面７６が重複する上に開口する５面体が形成され、両者間が僅かな隙間で回動自在であるから、半容器体７０と回動体９０とを上に開口する５面体からなる容器として使用する場合は、半容器体７０と回動体９０との間の隙間が殆ど無視できる程度であるから、半容器体７０及び回動体９０で形成される５面体の容器から、商品、小銭等が落下することがない。
【００３７】
本実施の形態において、前方にコ字状に突出させた開口架材８４は、Ｕ字状に形成されたものを前提に説明したが、本発明を実施する場合には、アルミニウム製またはスチール製の棒材を３本溶接したコ字状に突出させた開口架材８４とすることができる。
なお、上横架材４０及びこの上横架材４０と平行に対向配置された中横架材４１は、それぞれ、起立フレーム２０Ｌ，２０Ｒに溶接によって固着され、開口架材８４も上横架材４０の両側に溶接によって固着され、下横架材４２も起立フレーム２０Ｌ，２０Ｒに溶接によって固着されている。しかし、本発明を実施する場合には、上横架材４０、中横架材４１、下横架材４２の位置及び形状、傾斜架材８５Ｌ，８５Ｒの位置及び形状は、半容器体７０及び回動体９０との間で干渉しないものであればよい。
【００３８】
また、容器取付体８０が、商品、買物籠等の荷物が載置される半容器体７０及び回動体９０を支持して機械的強度を高めるため、買物容器部１０の半容器体７０の底面７４の下側には、起立フレーム２０Ｌ，２０Ｒに接合した４角の桟枠状の容器受台８３が前方向上向きに傾斜した状態で中横架材４１及び容器受台支持材８１に溶接され、前方上方に向かって上向くように形成され、略コ字形状の支持枠１７が固着されている。なお、この４角の桟枠状の容器受台８３は、アルミニウム製またはスチール製の棒材を枠状に形成したものであるが、本発明を実施する場合には、その形状を四角に特定されるものではない。
【００３９】
ところで、１対の起立フレーム２０Ｌ，２０Ｒの下部で接合されて前方に略Ｕ字状に突設された基台フレーム３０は、先端部に追突した場合に建造物または人に対して傷をつけないように緩衝部材３３が配設されている。この緩衝部材３３は、発泡スチロール等の弾性体が望ましいが、相手材の強度からして合成樹脂または合成ゴム、木材等であればよい。特に、緩衝部材３３は、少なくとも基台フレーム３０の先端部に配設されるが、横幅は基台フレーム３０の両幅を覆う長さとするのが望ましい。即ち、キャスタ５１Ｒ、５１Ｌの回転及び側面の接触を考慮すると、基台フレーム３０の選択の幅から２０〜５０ｍｍだけ両側に突出させるのが好適である。
【００４０】
また、本実施の形態においては、買物容器部１０の各構成部材は、上述の如く、アルミニウム製、スチール製のものが使用されているが、本発明を実施する場合には、これに限定されずステンレス製、合成樹脂等のものを使用することもできる。殊に、スチール製のものを使用する場合には、通常、錆び防止のため、ナイロン粉体等を加熱した膜でコーティングするのが望ましい。
【００４１】
また、起立フレーム２０Ｌ，２０Ｒの下端には、ボールベアリング部分が密閉された静音の後輪(キャスタ)５０Ｌ，５０Ｒが溶接によって取付けられている。そして、起立フレーム２０Ｌ，２０Ｒの上端は、内側に向けて曲げられており、左右方向に互いに離間対向する把持部６０Ｌ，６０Ｒを形成している。即ち、本実施の形態の把持部６０Ｌ，６０Ｒは、起立フレーム２０Ｌ，２０Ｒの上端を内側に曲げて形成したものであり、起立フレーム２０Ｌ，２０Ｒと一体になっている。勿論、本発明を実施する場合には、把持部６０Ｌ，６０Ｒは、連続する一体物として構成してもよい。
【００４２】
以上のように、本実施の形態のショッピングカート１によれば、左右両側に平行して対向配置され、上端に把持部を設けた１対の起立フレーム２０Ｌ，２０Ｒと、１対の起立フレーム２０Ｌ，２０Ｒの下部で接合されて前方に略Ｕ字状に突設され、下部に４個のキャスタ(前輪５１Ｌ，５１Ｒ及び後輪５０Ｌ，５０Ｒ)が配設された基台フレーム３０と、可撓性に富む合成繊維地で形成し、物品を収容する４面体からなる半容器体７０と、半容器体７０の後方側に位置し、かつ、半容器体７０と対をなして上部に開口する容器となり、外部から半容器体７０の前方側に加わる力によって回動し、半容器体７０との間で後部に開口する解放空間を形成する回動体８０と、基台フレーム３０の上部に位置し、１対の起立フレーム２０Ｌ，２０Ｒ間を接続すると共に半容器体７０及び回動体９０が取付けられる容器取付体８０とを具備するものである。
【００４３】
本実施の形態のショッピングカート１は、左右両側に平行して対向配置され、上端に把持部６０Ｌ，６０Ｒを設けた１対の起立フレーム２０Ｌ，２０Ｒと、その両起立フレーム２０Ｌ，２０Ｒの下部で接合されて前方に略Ｕ字状に突設され、下部に３個以上のキャスタ５０Ｌ，５０Ｒ、５１Ｌ，５１Ｒが配設された基台フレーム３０と、可撓性に富む合成繊維地で形成し、物品を収容する４面体からなる半容器体７０と、半容器体７０の後方側に位置し、半容器体７０と対をなして上部に開口する容器となり、外部から半容器体７０の前方側に加わる力によって回動し、半容器体７０との間で後部に開口する解放空間を形成する回動体９０と、基台フレーム３０の上部に位置し、１対の起立フレーム２０Ｌ，２０Ｒ間を接続すると共に半容器体７０及び回動体９０が取付けられる容器取付体８０を具備するが、通常の使用においては、回動体９０に対して半容器体７０の前方側に力が加わっていない。
【００４４】
したがって、可撓性に富む合成繊維地で形成し、物品を収容する４面体からなる半容器体７０は、半容器体７０の後方側に位置し、半容器体７０と対をなす回動体９０と共同して、上部に開口する５面体の図３に示す容器となり、後面７５の横幅が１００％のサイズとなっているものでは、半容器体７０の左右側面７２,７３との間に若干の隙間も生じない程度に密着しているから、特に、半容器体７０が上に広く開いているときには、底面７４側が狭くなるので、底面７４と後面７５とは、後面７５の下部が密着状態となる。故に、上部に開口する５面体の図３に示す容器からは、小物、小銭が落下し難くなる。また、仮に、液体を溢したとしても、底面７４と重なっている上側底面７６の表面が均一平面でないので拭いやすくなる。また、溢した液体が伝わったとしても、毛細管現象で底面７４と上側底面７６の重なっている位置まで移動するが、それ以上は伝わりにくくなる。
【００４５】
また、格納する場合には、半容器体７０の後方側に位置し、外部から半容器体７０の前方側に加わる他のショッピングカート１Ａの容器取付体８０の前方に衝突する力によって回動体９０が回動し、半容器体７０との間で後部に開口した解放空間を形成し、そこに他のショッピングカート１Ａの容器取付体８０及び半容器体７０を収容自在とするものである。
【００４６】
したがって、格納の際には半容器体７０の後方側から半容器体７０の前方側に加わる他のショッピングカート１Ａの容器取付体８０の前方方向への力によって回動体９０が回動し、半容器体７０の形状を変形させて、他のショッピングカート１Ａの容器取付体８０及び半容器体７０を収容する空間を形成するから、その空間に後続のショッピングカート１Ａの容器取付体７０及び半容器体７０を収容することにより、ショッピングカート１Ａの格納に無駄なスペースが必要とせず、格納可能となる。
【００４７】
このように、本実施の形態のショッピングカート１は、通常の使用状態では、物品を収容する４面体からなる半容器体７０と半容器体７０の後部の開放側を閉じる回動体９０によって、上方に開口する５面体からなる容器を形成する。回動体９０を上側底面７６と後面７５とで形成することにより、半容器体７０の底面７４に上側底面７６を重ねることができ、回動体９０と半容器体７０との隙間も、極力狭いものとすることができる。特に、それらの５面体が可撓性に富む合成繊維地で形成されているから、財布の小銭、細かい物品がショッピングカート１から落下することがなくなる。よって、買物容器部１０から小物等が落下することなく、かつ、格納の際に無駄なスペースを必要とせず格納可能なショッピングカートとなる。
【００４８】
ここで、起立フレーム２０Ｌ，２０Ｒは、左右両側に平行して対向配置され、上端に直接または間接的に把持部６０Ｌ，６０Ｒを設けた１対の湾曲した管材からなるものであるが、本発明を実施する場合には、その形状及び寸法を問うものではない。
また、基台フレーム３０は、１対の各起立フレーム２０Ｌ，２０Ｒの下部で直接または間接的に接合されて前方に略Ｕ字状（略Ｖ字状）に突設され、下部に３個以上、通常４個のキャスタが配設された管材からなるものであるが、本発明を実施する場合には、その形状及び寸法を問うものではない。
【００４９】
そして、容器取付体８０は、基台フレーム３０の上部に位置し、１対の起立フレーム２０Ｌ，２０Ｒ間を接続すると共に、物品を収容する半容器体７０を取付けるものであり、また、回動体９０を取付けるものである。
更に、半容器体７０は、液体等の浸透性のよくない布、例えば、合成繊維地等のシート材で、可撓性に富む材料からなる４面体からなる容器であり、その後方は開口している。また、回動体９０は、半容器体７０の後方側に位置し、半容器体７０と対をなして上部に開口する容器となり、外部から半容器体７０の前方側に加わる力によって回動し、半容器体７０との間で後部に開口した解放空間を形成するものである。
【００５０】
本実施の形態のショッピングカート１の回動体９０は、その後面７５が１対の起立フレーム２０Ｌ，２０Ｒ間に配設した上横架材４０を中心に回動し、半容器体７０の後方側を押圧し、半容器体７０の後方側の後面７５を上面まで持ち上げるものであるから、上横架材４０を中心に回動して半容器体７０との間で後部解放空間を形成するものであり、外力がない場合には、上横架材４０を回動中心として安定した位置に物品を収容する上部が開口する５面体からなる半容器体７０及び回動体９０の位置決めができ、使用状態と格納状態を別段の意識なく使用できる。
なお、本発明を実施する場合の回動体９０は、上部に配設した上横架材４０を中心に回動し、半容器体７０の後方側を押圧し、半容器体７０の後方側の面を上面まで持ち上げ、半容器体７０との間で後部に開口する解放空間を形成するものであればよい。
【００５１】
本実施の形態のショッピングカート１の１対の起立フレーム２０Ｌ，２０Ｒは、弧状を呈しており、弧状の彎曲ピーク点は下端の後輪５０Ｌ，５０Ｒ及び上端の把持部６０Ｌ，６０Ｒの位置よりも前方に位置するものであるから、起立フレーム２０Ｌ，２０Ｒに加わる半容器体７０の底面７４の重心位置に近い位置で１対の起立フレーム２０Ｌ，２０Ｒにそれを伝えることができ、ショッピングカート１自体の安定性が増す。
ここで、１対の起立フレーム２０Ｌ，２０Ｒは、彎曲した弧状を呈しており、弧状の彎曲ピーク点は前方に位置するものであり、必ずしも曲率が単一の弧状に限定されるものではない。
【００５２】
本実施の形態のショッピングカート１の半容器体７０は、前方が浅く、後方が深いものであるから、財布の小銭、細かい物品が後方に集まるので、それらの財布の小銭や、細かい物品を収集する場合にも、半容器体７０の後方に集まるので扱いやすいという効果がある。なお、本実施の形態の半容器体７０は、前方が浅く、後方が深いものであるが、均一の深さまたは前方が深く、後方が浅いものとすることもできる。しかし、意匠性の観点からすると、前方が浅く、後方が深いものの方が、安定感があり、小物等が拾い易く、発見し易いので意匠性及び機能性から好ましい。
【００５３】
本実施の形態のショッピングカート１は、可撓性に富む合成繊維地で半容器体７０の底面７１及び左右側面７２,７３、回動体９０の後面７５及び上側底面７６が形成されている。しかし、金属板または合成樹脂板でそれらを構成することもできる。
即ち、本実施の形態のショッピングカート１によれば、左右両側に平行して対向配置され、上端に把持部を設けた１対の起立フレーム２０Ｌ，２０Ｒと、１対の起立フレーム２０Ｌ，２０Ｒの下部で接合されて前方に略Ｕ字状に突設され、下部に４個の前輪５１Ｌ，５１Ｒ及び後輪５０Ｌ，５０Ｒが配設された基台フレーム３０と、金属板または合成樹脂板で形成し、物品を収容する４面体からなる半容器体７０と、半容器体７０の後方側に位置し、かつ、半容器体７０と対をなして上部に開口する容器となり、外部から半容器体７０の前方側に加わる力によって回動し、半容器体７０との間で後部に開口する解放空間を形成する回動体８０と、基台フレーム３０の上部に位置し、１対の起立フレーム２０Ｌ，２０Ｒ間を接続すると共に半容器体７０及び回動体９０が取付けられる容器取付体８０とを具備するものである。
【００５４】
この実施の形態のショッピングカート１は、左右両側に平行して対向配置され、上端に把持部６０Ｌ，６０Ｒを設けた１対の起立フレーム２０Ｌ，２０Ｒと、その両起立フレーム２０Ｌ，２０Ｒの下部で接合されて前方に略Ｕ字状に突設され、下部に３個以上のキャスタ（後輪５０Ｌ，５０Ｒ、前輪５１Ｌ，５１Ｒ）が配設された基台フレーム３０と、金属板または合成樹脂板で形成し、物品を収容する４面体からなる半容器体７０と、半容器体７０の後方側に位置し、半容器体７０と対をなして上部に開口する容器となり、外部から半容器体７０の前方側に加わる力によって回動し、半容器体７０との間で後部に開口する解放空間を形成する回動体９０と、基台フレーム３０の上部に位置し、１対の起立フレーム２０Ｌ，２０Ｒ間を接続すると共に半容器体７０及び回動体９０が取付けられる容器取付体８０を具備するが、通常の使用においては、回動体９０に対して半容器体７０の前方側に力が加わっていない。
【００５５】
したがって、金属板または合成樹脂板で形成し、物品を収容する４面体からなる半容器体７０は、半容器体７０の後方側に位置し、半容器体７０と対をなす回動体９０と共同して、上部に開口する５面体の図３に示す容器となり、後面７５の横幅が１００％のサイズとなっているものでは、半容器体７０の左右側面７２，７３との間に若干の隙間も生じない程度に密着しているから、特に、半容器体７０が上に広く開いているときには、底面７４側が狭くなるので、底面７４と後面７５とは、後面７５の下部が密着状態となる。故に、上部に開口する５面体の図３に示す容器からは、小物、小銭が落下し難くなる。また、仮に、液体を溢したとしても、底面７４と重なっている上側底面７６の表面が均一平面でないので拭いやすくなる。また、溢した液体が伝わったとしても、毛細管現象で底面７４と上側底面７６の重なっている位置まで移動するが、それ以上は伝わり難くなる。
【００５６】
また、格納する場合には、半容器体７０の後方側に位置し、外部から半容器体７０の前方側に加わる他のショッピングカート１Ａの容器取付体８０の前方に衝突する力によって回動体９０が回動し、半容器体７０との間で後部に開口した解放空間を形成し、そこに他のショッピングカート１Ａの容器取付体８０及び半容器体７０を収容自在とするものである。
よって、格納の際には半容器体７０の後方側から半容器体７０の前方側に加わる他のショッピングカート１Ａの容器取付体８０の前方方向への力によって回動体９０が回動し、半容器体７０の形状を変形させて、他のショッピングカート１Ａの容器取付体８０及び半容器体７０を収容する空間を形成するから、その空間に後続のショッピングカート１Ａの容器取付体７０及び半容器体７０を収容することにより、ショッピングカート１Ａの格納に無駄なスペースが必要とせず、格納可能となる。
【００５７】
このように、この種の実施の形態のショッピングカート１は、通常の使用状態では、物品を収容する４面体からなる半容器体７０と半容器体７０の後部の開放側を閉じる回動体９０によって、上方に開口する５面体からなる容器を形成する。回動体９０を上側底面７６と後面７５とで形成することにより、半容器体７０の底面７４に上側底面７６を重ねることができ、回動体９０と半容器体７０との隙間も、極力狭いものとすることができる。特に、それらの５面体が金属板または合成樹脂板で形成されているから、財布の小銭、細かい物品がショッピングカート１から落下することがなくなる。よって、買物容器部１０から小物等が落下することなく、かつ、格納の際に無駄なスペースを必要とせず格納可能なショッピングカートとなる。
【００５８】
なお、この種の実施の形態のショッピングカート１の後面７５及び上側底面７６で形成されている回動体９０は、後面７５のみとすることができる。また、後面７５を金属板または合成樹脂板とし、それに接続した上側底面７６を可撓性に富む合成繊維地で構成することもできる。
【符号の説明】
【００５９】
１                  ショッピングカート
１０                買物容器部
２０Ｌ，２０Ｒ      起立フレーム
３０                基台フレーム
４０                上横架材
５０Ｌ，５０Ｒ      後輪(キャスタ)
５１Ｌ，５１Ｒ      前輪(キャスタ)
７０                半容器体
７１                前面
７２，７３          左右側面
７４                底面
７５                後面
７６                上側底面
８０                容器取付体
８３                容器受台
９０                回動体
【図１】
2012250679.tif 000003
【図２】
2012250679.tif 000004
【図３】
2012250679.tif 000005
【図４】
2012250679.tif 000006
【図５】
2012250679.tif 000007
【図６】
2012250679.tif 000008